(57)【要約】【課題】  点検結果に基づいて行う保守について、人為的な要否判断ミスを排除し、効率良く作業を行うことが可能な浄化槽管理用の携帯用入出力端末およびこれに用いる制御プログラムの提供。【解決手段】  浄化槽の点検と保守とを一セットで行う管理作業に用いられる浄化槽チェックシートに含まれる各点検項目および各保守項目を順番に表示する浄化槽管理用の携帯用入出力端末は、各保守項目の表示を各保守項目に対応する各点検項目の入力内容に応じてそれぞれ表示または非表示に切り替える手段を備える。携帯用入出力端末は、各保守項目に対応する各点検項目の入力内容すなわち点検結果に応じて、必要な保守項目のみを表示し、不要なものについては表示しない。【選択図】        図７
2004268026.tif 000002
【特許請求の範囲】
【請求項１】
浄化槽の点検と保守とを含む管理作業に用いられる浄化槽チェックシートに含まれる各点検項目および各保守項目を順番に表示する浄化槽管理用の携帯用入出力端末であって、
前記各保守項目の表示を各保守項目に対応する各点検項目の入力内容に応じてそれぞれ表示または非表示に切り替える手段を備えた浄化槽管理用の携帯用入出力端末。
【請求項２】
さらに前記点検項目の表示を各点検項目の実施サイクルに応じてそれぞれ表示または非表示に切り替える手段を備えた請求項１記載の浄化槽管理用の携帯用入出力端末。
【請求項３】
浄化槽の点検と保守とを含む管理作業に用いられる浄化槽チェックシートに含まれる各点検項目および各保守項目を順番に表示する浄化槽管理用の携帯用入出力端末に用いる制御プログラムであって、
前記携帯用入出力端末を、前記各保守項目の表示を各保守項目に対応する各点検項目の入力内容に応じてそれぞれ表示または非表示に切り替える手段として機能させるための制御プログラム。
【請求項４】
前記携帯用入出力端末を、さらに前記点検項目の表示を各点検項目の実施サイクルに応じてそれぞれ表示または非表示に切り替える手段として機能させるための請求項３記載の制御プログラム。
【発明の詳細な説明】
【技術分野】
【０００１】
本発明は、個人住宅や地域に分散する施設等の浄化槽を巡回して点検や保守などを行い、またはこれらの浄化槽の検査や清掃などを行い、その場で報告書等の作成作業を行って管理するための浄化槽管理用の携帯用入出力端末およびこれに用いる制御プログラムに関する。
【背景技術】
【０００２】
上下水道は古くから発達してきており、人社会にとって不可欠のものである。下水道については、環境の汚染を防止する意味で、今日では特に重要なものとなっている。汚水を受け入れてから処理して排水するまでの汚水処理システムとして、大都市では大規模な下水システムが発達しているが、建物や施設が分散している地域ではコストの面から大規模な下水道を敷設するのは困難であり、分散型の浄化槽システムが使われることが多くなっている。
【０００３】
個人住宅や地域の施設で使われる浄化槽システムは、処理能力や処理内容によって構成が様々であり、また同じような規模であっても用いられる機器のメーカなどが異なるため、ほとんどの浄化槽は構成が異なっているといっても過言ではない。一方、浄化槽は１年に数回は点検し、状況に応じて清掃、調整などの保守を行うことが義務づけられており、その実務は地域の組織や企業に委託されている。そして複数の企業が分担して管理をしていることが多い。このような背景にあって、従来の浄化槽の管理は次のようにして行われている。
【０００４】
個人住宅や地域の施設等が建設されて浄化槽が設置されると、その浄化槽の処理能力や処理内容、規模、構成に基づいて管理すべき事項がリストアップされ、管理用の浄化槽チェックリストが作成される。その場合、用いる設備、機器を一つ一つ洗い出して各々について管理すべき事項をリストアップしている。こうして作成された各々の浄化槽の浄化槽チェックリストが管理を委託された企業の管理棟に保存され、管理するときに持ち出して使われる。
【０００５】
浄化槽を管理するときは、委託された企業が１日で管理する複数の浄化槽の浄化槽チェックリストを抽出し、作業者がそれを持って巡回用の車に乗り、巡回する。巡回するときは始めに浄化槽の巡回順序を決め、その順番で巡回する。浄化槽の設置場所に着くと、その浄化槽に該当するシートを選択し、表示されている項目ごとに管理のための作業を実施する。そして、シートの当該箇所に実施した旨を記入し、全項目が終わるまで同じことを繰り返す。依頼元から料金を受け取った場合は、料金を収納したことも浄化槽チェックシートに記載する。浄化槽の管理が終わると、リストを見て管理が終わっていない次の順番の浄化槽を見出し、その場所を探して車で移動する。そして前の浄化槽と同様の作業を繰り返して管理する。リストに記載された全ての浄化槽の管理を終えると、持ちかえって浄化槽チェックシートの整理をして、その後のために必要とする集計等の計算をする。
【０００６】
本発明者らは、上記浄化槽チェックシートを効率よく、確実に作成できるようにするとともに、浄化槽の管理を、安全で確実に、かつ効率よくできるようにすることを目的として、特許文献１に記載の浄化槽管理システムを開発した。この浄化槽管理システムによれば、作業者の携帯用入出力端末に作業項目が順番通りに表示されるため、作業者はその表示されたとおりにその項目の作業を実施することができる。
【０００７】
図１０は携帯用入出力端末に表示される画面の遷移例を示している。図１０に示すように、例えば、原水ポンプの点検・保守を行う場合、携帯用入出力端末の画面には、浄化槽チェックリストに従って点検・保守の作業項目が順番通りに表示される。作業者は、この携帯用入出力端末の画面に表示された内容に基づいて、原水ポンプの点検・保守を行い、その結果を携帯用入出力端末へ入力する。
【０００８】
【特許文献１】特開２００２−２３０１４５号公報
【発明の開示】
【発明が解決しようとする課題】
【０００９】
ところで、浄化槽の管理は、一般的に点検と保守とを含む作業を一セットとして行う。すなわち、図１０に示すように、原水ポンプの本体の異常の有無を点検し、本体に異常が有った場合には続けてその保守を行う。また、ポンプ設備の固定状況を点検し、不良が有った場合には続けてその保守を行う。このように、浄化槽の管理では、点検によって何らかの異常が発見された場合には点検に続けてその保守を行うが、何も異常が発見されなかった場合にはその保守は行わなくてよい。
【００１０】
ところが、上記従来の浄化槽管理システムでは、点検によって何も異常が発見されなくても、その点検項目に対応する保守項目が続けて携帯用入出力端末に表示される。そのため、作業者は、点検によって何も異常が発見されなかった場合には、その点検項目に続けて表示される保守項目については何も入力せずにスキップさせる必要がある。したがって、点検によって全く異常が発見されなかった場合には、保守を行う必要はないが、携帯用入出力端末に表示される保守項目について毎回画面をスキップさせる必要がある。
【００１１】
このように、上記従来の浄化槽管理システムでは、作業者は、点検項目に続いて携帯用入出力端末にその都度表示される保守項目の中からそのとき保守が必要なものであるか否かを判断し、その判断に基づいて、必要のない保守項目については画面をスキップさせる必要がある。したがって、仮に作業者が判断を誤った場合、必要な保守を飛ばしてしまったり、不要な保守を行ってしまったりする可能性がある。もし、必要な保守を飛ばしてしまった場合には、後にやり直しが必要となるため、携帯用入出力端末の画面を順に戻していかなければならないため、作業効率が悪くなる。
【００１２】
そこで、本発明は、点検結果に基づいて行う保守について、人為的な要否判断ミスを排除し、効率良く作業を行うことが可能な浄化槽管理用の携帯用入出力端末およびこれに用いる制御プログラムを提供することを目的とする。
【課題を解決するための手段】
【００１３】
本発明の浄化槽管理用の携帯用入出力端末は、浄化槽の点検と保守とを含む管理作業に用いられる浄化槽チェックシートに含まれる各点検項目および各保守項目を順番に表示する浄化槽管理用の携帯用入出力端末であって、各保守項目の表示を各保守項目に対応する各点検項目の入力内容に応じてそれぞれ表示または非表示に切り替える手段を備えたものである。
【００１４】
本発明の浄化槽管理用の携帯用入出力端末によれば、順番に表示される浄化槽チェックシートに含まれる各保守項目のうち、各点検項目の点検結果によってはその点検項目に対応する保守が必要なものまたは不要なものについて、自動的に表示または非表示となるように切り替えられる。
【００１５】
上記本発明の浄化槽管理用の携帯用入出力端末は、各保守項目の表示を各保守項目に対応する各点検項目の入力内容に応じてそれぞれ表示または非表示に切り替える手段として機能させるための制御プログラムの実行により実現可能である。
【００１６】
本発明の浄化槽管理用の携帯用入出力端末は、さらに点検項目の表示を各点検項目の実施サイクルに応じてそれぞれ表示または非表示に切り替える手段を備えたものとするのが望ましい。これにより、各点検項目のうち、実施サイクルによってはその回の点検が必要なものまたは不要なものについては、自動的に表示または非表示となるように切り替えられる。
【００１７】
この浄化槽管理用の携帯用入出力端末は、点検項目の表示を各点検項目の実施サイクルに応じてそれぞれ表示または非表示に切り替える手段として機能させるための制御プログラムにより実現可能である。
【発明の効果】
【００１８】
本発明により、以下の効果を奏することができる。
【００１９】
（１）浄化槽の点検と保守とを含む管理作業に用いられる浄化槽チェックシートに含まれる各点検項目および各保守項目を順番に表示する浄化槽管理用の携帯用入出力端末において、各保守項目の表示を各保守項目に対応する各点検項目の入力内容に応じてそれぞれ表示または非表示に切り替える手段を備えることにより、順番に表示される浄化槽チェックシートに含まれる各保守項目のうち、各点検項目の点検結果に応じて、自動的にその点検項目の表示または非表示が切り替えられるため、不要な点検項目についてその都度画面をスキップする必要がなく、素早く次の点検項目に遷移することが可能となる。また、各点検項目に対応する保守が必要なものまたは不要なものについて自動的に表示または非表示が切り替えられるため、各点検項目の人為的な要否判断ミスが排除され、効率良く作業を行うことが可能となる。
【００２０】
（２）さらに点検項目の表示を各点検項目の実施サイクルに応じてそれぞれ表示または非表示に切り替える手段を備えることにより、実施サイクルが異なる点検項目について、自動的にその点検項目の表示または非表示が切り替えられるため、人為的な要否判断ミスが排除され、効率良く作業を行うことが可能となる。
【発明を実施するための最良の形態】
【００２１】
図１は本発明の実施の形態における浄化槽チェックシートの作成方法を説明するための図である。同図（ａ）は、作成するチェックシートの対象となっている浄化槽Ａの構成例を示している。同図（ａ）に示すように、浄化槽Ａは、沈殿分離槽ａ、接触ばっ気槽ｂ、沈殿槽ｃおよび消毒槽ｄからなり、汚泥等は図中の矢印に示すような経路で流れる。同図（ｂ）は浄化槽の点検、保守、検査等の管理作業に用いられるチェックシートを格納した浄化槽チェックシートデータベースＢの構成を示している。同図（ｃ）は本実施形態における作成方法によって作成された浄化槽Ａのチェックシートを示している。浄化槽チェックシートデータベースＢに格納されたチェックシートは、それぞれ、管理すべき事項が、管理する順番も勘案して記載されている。
【００２２】
本実施形態においては、まず、浄化槽に用いられるあらゆる装置毎に管理すべき事項をリストアップし、その順序を決めてチェックシートａ１，ａ２，ｂ１，ｂ２，ｃ１，ｃ２，ｄ１等を作る。次に、こうして作ったチェックシートａ１，ａ２，ｂ１，ｂ２，ｃ１，ｃ２，ｄ１等を集めて浄化槽チェックシートデータベースＢに格納しておく。浄化槽Ａの管理を開始する際、沈殿分離槽ａ、接触ばっ気槽ｂ、沈殿槽ｃ、消毒槽ｄに対応する四つのチェックシート、すなわち、沈殿分離槽のチェックシートａ１、接触ばっ気槽のチェックシートｂ１、沈殿槽のチェックシートｃ１、消毒槽のチェックシートｄ１、を浄化槽チェックシートデータベースＢから抽出する。そして、抽出された四つのチェックシートを各槽の管理順序を勘案して並べ、浄化槽ＡのチェックシートＡ１を作成する。
【００２３】
図２は予め作成された（ａ）標準浄化槽チェックシートと、本実施形態における作成方法により作成された（ｂ）浄化槽チェックシートを示している。個人住宅や地域の施設で使われる浄化槽システムは、処理能力や処理内容によって構成が様々であり、また同じような規模であっても用いられる機器のメーカなどが異なるため、ほとんどの浄化槽は構成が異なっているといっても過言ではない。そこで、本実施形態においては、広く使われる浄化槽の中から標準的な構成を有するいくつかの浄化槽を決めておき、その標準浄化槽の点検や保守などの管理事項を決めたチェックシートを始めに作成しておく。その管理事項の順番についても、効率よく実施できるよう順番を十分検討して決めておく。このようにして予め定められた多数の標準浄化槽チェックシートの一例が図２の（ａ）である。
【００２４】
新しく浄化槽の管理をすることになり、その構成等からみて最も近いということで選ばれた標準浄化槽のチェックシートが（ａ）であったとする。このチェックシートには標準浄化槽の管理事項が記載され、（１）駐車、（２）挨拶、から（１３）完了通知比較、まで順番も決められている。管理事項の中には下位の管理事項が決められているものもある。例えば、（２）挨拶、については、（２０１）異常臭気、から（２０７）設置者に報告、までの下位事項が順番に決められている。新しい浄化槽の浄化槽チェックシートを作るときは、この標準浄化槽チェックシートの管理事項が異なっているところを修正すればよく、この例の場合、標準浄化槽チェックシートの（２０５）流入管路、マンホール周辺路面の異常、（５０１）水質測定器の調整、が削除され、新たに（６１０）ブロワ、（６１１）換気装置、（７１１）ブロワ、（７１２）換気装置、が追加され（ｂ）の浄化槽チェックシートが作られている。このように、予め作られた多数の標準浄化槽チェックシートから構成等が最も近い浄化槽のチェックシートを抽出して修正すれば新規に管理する浄化槽のチェックシートができあがるので、漏れが少なくなり、作成する時間も短時間で済む。
【００２５】
図３は本発明の実施の形態における浄化槽管理システムの概要を説明する図、図４はその構成を示すブロック図、図５は本システムで使われるファイルの構成を示す図、図６は本システムによる浄化槽管理手順を示すフロー図である。
【００２６】
図３および図４において、管理用計算機１は、入力装置１１、出力装置１２、表示装置１３、中央処理装置１４、記憶装置１５から構成され、浄化槽の管理を委託された企業の管理棟１０に設置される。記憶装置１５には浄化槽の管理に用いる元管理ファイル１６が格納されており、これを管理するアプリケーションプログラムも格納されている。元管理ファイル１６には当該企業が管理を委託されている浄化槽の浄化槽チェックシートが全て含まれている。元管理ファイル１６のデータは、入力装置１１からデータを入力して書き換えることができ、データの一部を表示装置１３に表示したり、プリンタや外部記憶装置などの出力装置１２に出力したりすることができる。中央処理装置１４は、記憶装置１５に格納された管理用のアプリケーションプログラムを起動すると、元管理ファイル１６の処理に関係する全ての機能を管理用計算機１に付加することができる。
【００２７】
モバイル計算機２は、入力装置２１、出力装置２２、表示装置２３、中央処理装置２４、記憶装置２５から構成され、巡回用の車２０に搭載される。記憶装置２５には元管理ファイル１６の一部がダウンロードされて子管理ファイル２６として格納され、これを管理するアプリケーションプログラムも格納されている。子管理ファイル２６のデータは、データの一部を表示装置２３に表示することができるようになっている。中央処理装置２４は、記憶装置２５に格納された管理用のアプリケーションプログラムを起動すると、子管理ファイル２６の操作に関係する全ての機能をモバイル計算機２に付加することができる。
【００２８】
携帯用入出力端末３は、入力装置３１、表示装置３３、中央処理装置３４、記憶装置３５から構成される。記憶装置３５には子管理ファイル２６の中から１つの浄化槽チェックシート３６１（図５参照。）がダウンロードされ孫管理ファイル３６として格納されており、これを管理するアプリケーションプログラムも格納されている。浄化槽チェックシート３６１のデータの一部は表示装置３３に表示することができるようになっている。中央処理装置３４は、記憶装置３５に格納された管理用のアプリケーションプログラムを起動すると、浄化槽チェックシート３６１の表示とデータ入力に関係する全ての機能を携帯用入出力端末３に付加することができる。
【００２９】
なお、本実施形態における携帯用入出力端末３の管理用のアプリケーションプログラムの特徴的なものの一つは、浄化槽チェックシート３６１の表示を制御する制御プログラムである。この制御プログラムは、浄化槽チェックシート３６１に含まれる作業項目のうち保守項目を表示装置３３に表示する際、各保守項目に対応する各点検項目の入力内容に応じて、各保守項目が表示または非表示となるように切り替えるものである。すなわち、制御プログラムは、各一対の点検項目と保守項目について、各点検項目に続いて表示する各保守項目のうち、各点検項目の点検結果に応じて必要な保守項目のみを表示装置３３に表示するように携帯用入出力端末３を制御する。
【００３０】
また、この制御プログラムは、浄化槽チェックシート３６１に含まれる作業項目のうち点検項目を表示装置３３に表示する際、点検項目ごとに定められた実施サイクルに応じて、各点検項目が表示または非表示となるように切り替えるものである。すなわち、制御プログラムは、前回の点検日から今回の点検日までの経過日数に基づいて、各点検項目のうち、その回の点検対象となっている項目のみを表示装置３３に表示するように携帯用入出力端末３を制御する。
【００３１】
管理用計算機１とモバイル計算機２とを有線または無線で接続すると、元管理ファイル１６の中から一部の浄化槽チェックシートをダウンロードしてモバイル計算機２の子管理ファイル２６としたり、子管理ファイル２６の更新された子管理ファイルを元管理ファイル１６にアップロードしたりすることが可能となる。また、モバイル計算機２と携帯用入出力端末３とを有線または無線で接続すると、子管理ファイル２６の中から１つの浄化槽管理ファイル３６１をモバイル計算機２から携帯用入出力端末３にダウンロードしたり、データを入力して更新された浄化槽チェックシート３６１を含む孫管理ファイル３６を子管理ファイル２６にアップロードしたりすることが可能となる。
【００３２】
図５は、元管理ファイル１６と子管理ファイル２６、孫管理ファイル３６の関係を示している。元管理ファイル１６は当該企業が管理を委託されている全ての浄化槽チェックシート１６１が含まれており、図の例では１０００個の浄化槽チェックシートが含まれている場合が示されている。子管理ファイル２６は元管理ファイル１６の中から１日に巡回して管理する浄化槽のチェックシート２６１が取り出されて格納されており、図の例では１００個の浄化槽チェックシートが含まれている場合が示されている。この１００個は、１０００個の浄化槽チェックシート１６１のうち、１個目から順に１００個目まで取り出したものではなく、巡回する日の管理対象となっている１００ヶ所の浄化槽に対応する１００個が選択され取り出されている。孫管理ファイル３６は、子管理ファイル２６の中から取り出された１個の浄化槽チェックシート３６１だけを含んでおり、管理をする浄化槽のところにたどり着いたとき、管理をするその浄化槽に対応する一個の浄化槽チェックシート３６１を含んでいるのである。
【００３３】
次に、図２に戻って、（ｂ）の浄化槽チェックシートについて説明する。このチェックシートは管理する浄化槽の管理事項が順を追って記載されており、大項目と下位の小項目を含んで記載されている。具体的には、巡回車で浄化槽のところに到着した後になすべきことを、番号を追って順に示されており、ある浄化槽の例として示すと次のようになっている。
【００３４】
（１）巡回車を適当な駐車場所に駐車する。
（２）浄化槽の持ち主あるいは管理者に挨拶し、目視により確認できる事項のチェックをする。この項目には下位の項目があり（２０１）異常臭気のチェック、（２０２）異常騒音のチェック、（２０３）浄化槽周辺の異常のチェック、（２０４）点検口の開放状態の確認、（２０５）安全措置の確認、（２０６）設置者への報告、の順に実施することが示されている。
（３）浄化槽に対応する管理記録票を確認する。
（４）動力盤や制御盤等の電気設備を点検する。この項目には下位の項目があり、（４０１）故障表示のチェック、（４０２）各機器の異常電流のチェック、（４０３）各機器に設けられたスイッチの設定異常のチェック、（４０４）水道メータ等の点検、（４０５）電灯、分電盤の異常のチェック、（４０６）異常個所の点検、の順に実施することが示されている。
（５）浄化槽に注入する薬液等の調整をして浄化槽を管理する準備をする。この項目には下位の項目があり、（５０１）点検用器具の準備、を実施することが示されている。
（６）複数ある槽のそれぞれについて、単位装置の点検と水質測定をする。この項目には下位の項目があり、（６０１）油脂分離槽、（６０２）原水ポンプ槽、（６０３）放流管渠、（６０４）放流ポンプ槽、（６０５）消毒槽、（６０６）沈殿槽、（６０７）接触ばっ気槽、（６０８）嫌気ろ床槽第２室、（６０９）嫌気ろ床槽第１室、（６１０）ブロワ、（６１１）換気装置、の順に点検を実施することが示されている。
（７）複数ある槽のそれぞれについて、単位装置の保守をする。この項目には下位の項目があり、（７０１）流入管渠、（７０２）油脂分離槽、（７０３）原水ポンプ槽、（７０４）放流管渠、（７０５）放流ポンプ槽、（７０６）消毒槽、（７０７）沈殿槽、（７０８）接触ばっ気槽、（７０９）嫌気ろ床槽第２室、（７１０）嫌気ろ床槽第１室、（７１１）ブロワ、（７１２）換気装置、の順に点検を実施することが示されている。
（８）保守作業をした結果の状況についてチェックをする。
（９）各槽の点検口を密閉する。
（１０）動力盤や制御盤等の電気設備の状況を確認する。
（１１）後片付けをして整理整頓し、掃除をする。
（１２）前回の管理結果と比較し、記録の整理をする。
（１３）完了通知をする。
【００３５】
次に、図６のフロー図に従って、本実施形態における浄化槽管理システムによる浄化槽の管理方法について説明する。
【００３６】
（Ｓ１）浄化槽の管理を始める時、まず、管理棟１０にある管理用計算機１とモバイル計算機２を有線または無線で接続し、管理用計算機１の記憶装置１５に格納された元管理ファイル１６の中から、その日に巡回する浄化槽あるいは数日間に巡回する全ての浄化槽のチェックシート２６１をダウンロードし、子管理ファイル２６として記憶装置２５に格納する。そしてモバイル計算機２を巡回用の車２０に搭載する。
（Ｓ２）モバイル計算機２を起動すると、子管理ファイル２６に含まれる情報に基いて、浄化槽４の所在地又は地図情報を含む位置情報が表示装置２３に表示され、表示された指示に従い、作業者が浄化槽４へ向かう。
【００３７】
（Ｓ３）点検する浄化槽４のところに到着すると、モバイル計算機２と携帯用入出力端末３を有線または無線で接続し、その浄化槽のチェックシート３６１だけをモバイル計算機２からダウンロードして携帯用入出力端末３の記憶装置３５に格納する。
（Ｓ４）作業者が携帯用入出力端末３を持って車から降り、浄化槽のところに移動する。
（Ｓ５）携帯用入出力端末３を起動させると、浄化槽チェックシート３６１のうち、最初の作業項目が表示され、２回目以降であれば、順番どおりの作業項目が表示される。
【００３８】
ここで、携帯用入出力端末３の表示装置３３には、各作業項目のうち点検項目についてはその実施サイクルに応じて、その回の点検が必要なものについてのみ表示され、不要なものについては表示されない。これは、前述の制御プログラムの動作によるものである。各点検項目の実施サイクルは、例えば、絶縁抵抗の点検のような年１回や、堆積汚泥の生成状況の点検のような月１回等の期間の条件が定められている。
【００３９】
本実施形態における浄化槽管理システムでは、後述のように作業の実施状況の全データがモバイル計算機２を経て管理用計算機１にアップロードされ、管理されていることから、次に管理用計算機１からモバイル計算機２を経て携帯用入出力端末３にダウンロードされるデータには前回の点検日、すなわち各作業項目の最終点検日が含まれている。そこで、携帯用入出力端末３はこの最終点検日から今回の作業日までの経過日数に基づいて、各作業項目のうち、その回の点検対象となっている項目のみを表示装置３３に表示する。
【００４０】
また、作業項目のうち各保守項目については、通常、上の各点検項目の表示に続いて、後述する（Ｓ６）から（Ｓ９）のステップを経た後、各点検項目に対応するものが表示される。ところが、本実施形態における浄化槽管理システムでは、各保守項目に対応する各点検項目の後述するステップ（Ｓ７）の入力内容すなわち点検結果に応じて、必要な保守項目のみが表示され、不要なものについては表示されない。これは、前述の制御プログラムの動作によるものである。図７（ａ）は表示装置３３に表示される画面の遷移例を示している。
【００４１】
（Ｓ６）作業者は携帯用入出力端末３の表示装置３３に表示されたとおりに、その項目の作業を実施する。作業者は、上述のように実施サイクルが異なる点検項目については、自動的にその点検項目の表示または非表示が切り替えられて携帯用入出力端末３の表示装置３３に表示されるため、実施サイクルによってはその回の作業が必要なものまたは不要なものについて自分で判断する必要がない。また、保守項目についても、その前の点検項目の点検結果に応じて、自動的にその保守項目の表示または非表示が切り替えられて携帯用入出力端末３の表示装置３３に表示されるため、点検結果によっては保守が必要なものまたは不要なものについて自分で判断する必要がない。
【００４２】
（Ｓ７）表示された作業を実施した場合は、実施したということを携帯用入出力端末３の入力装置３１から入力し、浄化槽チェックシート３６１の関係箇所に記入する。ここで、例えば、図７（ａ）の左に示す点検項目の表示の中で「異常無し」にチェックを入力した場合には、前述のようにステップ（Ｓ５）でのその点検項目に対応する保守項目は非表示となり、「異常有り」にチェックを入れた場合にのみ、その点検項目に対応する保守項目が表示され、その保守の内容も入力可能となる。
【００４３】
図７（ｂ）は「異常有り」にチェックを入れた場合に、各点検項目に対応する保守項目が表示された例を示している。ところで、保守の中には、その場で対応できるときと、対応できないときと、その場で対応せずに様子を見るときとがある。そこで、その場で対応できるときには、図７（ｂ）に示すように、保守の項目にその保守の内容を入力する。ここで、入力した保守内容等は浄化槽チェックシート３６１に記録され、過去の実績として残るので、次回点検時に見ることができる。
【００４４】
一方、その場で対応できないときや、様子を見るときは、図７（ｃ）に示すように、保守の項目にどのような状況かを入力し、「保守要」にチェックを入れる。このチェック内容は浄化槽チェックシート３６１に記録され、次回以降のスケジュールに反映されるので、担当者が後日その緊急度を判断して対応する。対応が済んだ場合には、「保守済」として処理する。また、このときの保守対応の内容等は、前述のように浄化槽チェックシート３６１に記録され、過去の実績として残るので、次回点検時に見ることができる。
【００４５】
（Ｓ８）携帯用入出力端末３が、浄化槽チェックシート３６１の全項目が終わったかどうかを判断する。
（Ｓ９）全項目が終了していなければ、（Ｓ５）に移行してその後の手順を繰り返す。
【００４６】
（Ｓ１０）全項目が終了していれば、作業者が携帯用入出力端末３を巡回用の車２０に持ち帰り、データが入力されて更新された浄化槽チェックシート３６１をモバイル計算機２にアップロードする。これで１ヶ所の浄化槽の点検を終える。なお、全項目の作業を終了してときに、浄化槽管理の依頼元から料金の支払いがあれば、その情報も携帯用入出力端末３に入力して浄化槽チェックシートに付加される。
【００４７】
（Ｓ１１）次に、次の点検地が残っているかどうかをモバイル計算機２が判断する。
（Ｓ１２）残っていれば、モバイル計算機２が所在地または地図情報を含む位置情報を表示する次の点検地に巡回用の車２０で移動し、（Ｓ３）に移行してその後の手順を繰り返す。
（Ｓ１３）次の点検地が残っていなければ、その日に管理する全ての浄化槽についてなすべき作業が終了しているので、管理棟１０に戻ってモバイル計算機２の子管理ファイル２６を管理用計算機１にアップロードする。
（Ｓ１４）これでその日に管理された作業の実施状況の全データが記憶装置１５の元管理ファイル１６にアップロードされ、その後の処理・手続き等に必要な計算等が適宜行われる。
【００４８】
なお、（Ｓ１）と（Ｓ１２）のところで次の点検地へ移動する時の点検地の巡回順序は、効率よく巡回できるように予め決められており、その情報は子管理ファイル２６に含まれている。その順路は地理的位置関係や、交通事情、道路事情などが勘案され、最も効率のよい順路が決められている。
【００４９】
以上述べたように、本実施形態における浄化槽管理システムでは、およそ、１日分の浄化槽のデータあるいは各作業者が巡回を担当する数日間分の浄化槽のデータをモバイル計算機２にダウンロードするとモバイル計算機２の指示に従って巡回し、モバイル計算機２から浄化槽４のデータを携帯用入出力端末３にダウンロードして、その指示に従って管理をする、というようになっている。したがって、作業者による管理が漏れなく確実に行なわれるのである。
【００５０】
図８は本発明の別の実施形態を示すブロック図、図９はその手順を示すフロー図であり、携帯用入出力端末３が図３、図４のモバイル計算機２と携帯用入出力端末３の機能を兼ね備えた場合を示している。この図の携帯用入出力端末３の記憶装置３５には、図４に示すモバイル計算機２の子管理ファイル２６が格納されており、これを管理するアプリケーションプログラムも格納されている。図８のフローチャートに示すこのシステムの動作手順は、図６のフローチャートにあるモバイル計算機２の機能を携帯用入出力端末３に付加した場合と同じになっているので、詳細な説明は省略して動作手順の大筋について説明する。
【００５１】
管理用計算機１の元管理ファイル１６の中から、その日に巡回して管理する浄化槽のチェックシートをダウンロードし、携帯用入出力端末３の記憶装置３５に格納して子管理ファイル２６とすると、携帯用入出力端末３を巡回用の車２０に搭載し、点検地の所在地または地図情報を表示して点検地へ移動する。到着すると、作業者が浄化槽のところへ携帯用入出力端末３を持ち出し、順を追ってその浄化槽のチェックシートにある作業項目を表示し、作業を実施する。そして実施した結果を携帯用入出力端末３に入力して、浄化槽チェックシートを更新し、子管理ファイル２６を更新する。このように携帯用入出力端末３だけを持ち出して浄化槽の管理をしており、前者のものに比べて操作が簡単になっている。
【産業上の利用可能性】
【００５２】
本発明は、個人住宅や地域に分散する施設等の浄化槽を巡回して点検や保守などを行い、またはこれらの浄化槽の検査や清掃などを行い、その場で報告書等の作成作業を行って管理するための浄化槽管理システムに有用である。
【図面の簡単な説明】
【００５３】
【図１】本発明の実施の形態における浄化槽チェックシートの作成方法を説明する図である。
【図２】浄化槽チェックシートの第２の作成方法を説明する図である。
【図３】本発明の実施の形態における浄化槽管理システムの概要を説明する図である。
【図４】図３の浄化槽管理システムの構成を示すブロック図である。
【図５】図３の浄化槽管理システムにおいて使われるファイルの構成を示す図である。
【図６】図３の浄化槽管理システムによる浄化槽管理手順を示すフロー図である。
【図７】（ａ）は本実施形態における携帯用入出力端末に表示される画面の遷移例を示す図、（ｂ）は「異常有り」にチェックを入れた場合の画面の遷移例を示す図、（ｃ）は「異常有り」にチェックを入れた場合であってその場で対応できないとき、様子を見るときの画面の遷移例を示す図である。
【図８】本発明の別の実施形態における浄化槽管理システムの構成を示すブロック図である。
【図９】図８の浄化槽管理システムによる浄化槽管理手順を示すフロー図である。
【図１０】従来の携帯用入出力端末に表示される画面の遷移例を示す図である。
【符号の説明】
【００５４】
Ａ  浄化槽
Ａ１  浄化槽のチェックシート
ａ  沈殿分離槽
ａ１  沈殿分離槽のチェックシート
ｂ  接触ばっ気槽
ｂ１  接触ばっ気槽のチェックシート
ｃ  沈殿槽
ｃ１  沈殿槽のチェックシート
ｄ  消毒槽
ｄ１  消毒槽のチェックシート
１  管理用計算機
１６  元管理ファイル
１０  管理棟
２  モバイル計算機
２６  子管理ファイル
２０  巡回用の車
３  携帯用入出力端末
３６  孫管理ファイル
４  浄化槽
１１，２１，３１  入力装置
１２，２２  出力装置
１３，２３，３３  表示装置
１４，２４，３４  中央処理装置
１５，２５，３５  記憶装置
１６１，２６１，３６１  浄化槽チェックシート
【図１】
2004268026.tif 000003
【図２】
2004268026.tif 000004
【図３】
2004268026.tif 000005
【図４】
2004268026.tif 000006
【図５】
2004268026.tif 000007
【図６】
2004268026.tif 000008
【図７】
2004268026.tif 000009
【図８】
2004268026.tif 000010
【図９】
2004268026.tif 000011
【図１０】
2004268026.tif 000012
【手続補正書】
【提出日】平成16年7月30日(2004.7.30)
【手続補正１】
【補正対象書類名】特許請求の範囲
【補正対象項目名】全文
【補正方法】変更
【補正の内容】
【特許請求の範囲】
【請求項１】
浄化槽の点検と保守とを含む管理作業に用いられる浄化槽チェックシートに含まれる各点検項目および各保守項目を一つずつ順番通りに画面遷移させて表示する浄化槽管理用の携帯用入出力端末であって、
前記各保守項目の画面遷移表示を各保守項目に対応する各点検項目の入力内容に応じてそれぞれ表示または非表示に自動的に切り替える手段を備えた浄化槽管理用の携帯用入出力端末。
【請求項２】
さらに前記点検項目の画面遷移表示を各点検項目の実施サイクルに応じてそれぞれ表示または非表示に自動的に切り替える手段を備えた請求項１記載の浄化槽管理用の携帯用入出力端末。
【請求項３】
浄化槽の点検と保守とを含む管理作業に用いられる浄化槽チェックシートに含まれる各点検項目および各保守項目を一つずつ順番通りに画面遷移させて表示する浄化槽管理用の携帯用入出力端末に用いる制御プログラムであって、
前記携帯用入出力端末を、前記各保守項目の画面遷移表示を各保守項目に対応する各点検項目の入力内容に応じてそれぞれ表示または非表示に自動的に切り替える手段として機能させるための制御プログラム。
【請求項４】
前記携帯用入出力端末を、さらに前記点検項目の画面遷移表示を各点検項目の実施サイクルに応じてそれぞれ表示または非表示に自動的に切り替える手段として機能させるための請求項３記載の制御プログラム。